(57)【特許請求の範囲】
【請求項１】
建物ユニットが平面的に少なくとも縦方向に２個、横方向に３個の合計６個で組み合わされて構成されたユニット式建物であって、
床梁が欠損した建物ユニットを少なくとも一つ含み、この一つの建物ユニットと、床梁の欠損していない建物ユニットとが対向するようにして配置され、前記床梁が欠損した建物ユニットを含むこれらの一対の建物ユニットは、当該ユニット式建物の中央に位置する２個の建物ユニットであることを特徴とするユニット式建物。
【請求項２】
建物ユニットが平面的に少なくとも縦方向に２個、横３個の合計６個で組み合わされて構成されたユニット式建物であって、
対向する床梁のうち、一方の床梁が欠損した建物ユニットを一対含み、この一対の建物ユニットが床梁の欠損部分が対向するようにして配置され、前記床梁が欠損した建物ユニットを含むこれらの一対の建物ユニットは、当該ユニット式建物の中央に位置する２個の建物ユニットであることを特徴とするユニット式建物。
【請求項３】
請求項１又は２に記載のユニット式建物において、
前記床梁として、対向する一対の長辺床梁と、一本の短辺床梁とを含み、欠損している床梁は、前記一本の短辺床梁と対向することになる短辺床梁であることを特徴とするユニット式建物。
【請求項４】
請求項１〜３のいずれかに記載のユニット式建物において、前記床梁の欠損部分には、取り外し可能な根太が設けられていることを特徴とするユニット式建物。
【請求項５】
請求項１〜４のいずれかに記載のユニット式建物において、前記床梁の欠損部分を有する一対の建物ユニットは、１階部分に設けられていることを特徴とするユニット式建物。
【請求項６】
請求項１〜５のいずれかに記載のユニット式建物において、前記床梁の欠損部分を有する一対の建物ユニットは、２階以上の部分に設けられていることを特徴とするユニット式建物。
【発明の詳細な説明】
【０００１】
【発明の属する技術分野】
本発明は、ユニット式建物に関する。
【０００２】
【背景技術】
近年、工場で建物の居室等を建物ユニットとして作製しておき、これらの建物ユニットを現場に輸送し、基礎上に設置して建築するようにしたユニット式建物が施工されている（特開平7-286367号公報、特開平8-165720号公報、等）。
前記建物ユニットは、ユニットフレーム、このユニットフレームに設けられた面材、外壁材、等を有して構成されている。
【０００３】
図７に示すように、前記ユニットフレーム31は、床フレーム32と、天井フレーム（図示せず）と、床フレーム32と天井フレームとの間の四隅にそれぞれ立設された柱33とを有するものである。床フレーム32の上面には床材34が張られ、天井フレームの下面には天井材が張られている。
床フレーム32は、一対の長辺床梁35Aと、一対の短辺床梁35Bとが四角に組まれて構成されたものである。天井フレームも同様に天井梁が四角に組まれて構成されたものである。
隣り合う建物ユニットの床梁35B間には、耐火材料であるグラスウール36が充填されている。
【０００４】
【発明が解決しようとする課題】
上記従来のユニット式建物の場合、隣り合う建物ユニット間には、床梁35Bが存在するため、この部分に床下収納庫、堀炬燵、バスタブ、等の床下突出物を設けることができなかった。また、２階部分においては、床梁が邪魔となって吹き抜けを設置することができなかった。この結果、従来のユニット式建物では、プラン上の制約があった。
【０００５】
そこで、本発明は、隣り合う建物ユニット間に床下突出物を設けることができ、これにより設計の自由度を高めることができるユニット式建物を提供することを目的とする。
【０００６】
【課題を解決するための手段】
図面を参照して説明すると、本発明の第１発明は、建物ユニット13が平面的に少なくとも縦方向に２個、横方向に３個の合計６個で組み合わされて構成されたユニット式建物11であって、床梁が欠損した建物ユニット13Bを少なくとも一つ含み、この一つの建物ユニット13Bと、床梁の欠損していない建物ユニット13Aとが対向するようにして配置され、前記床梁が欠損した建物ユニット13Bを含むこれらの一対の建物ユニット13は、当該ユニット式建物の中央に位置する２個の建物ユニット13であることを特徴とする。
本発明によれば、前記床梁が欠損した部分に床下収納庫、堀炬燵、等の床下突出物を任意に設けることが可能になる。この結果、ユニット式建物の設計の自由度を高めることができるようになる。
【０００７】
本発明の第２発明は、建物ユニット13が平面的に少なくとも縦方向に２個、横方向に３個の合計６個で組み合わされて構成されたユニット式建物11であって、対向する床梁23Bのうち、一方の床梁が欠損した建物ユニット13A,13Bを一対含み、この一対の建物ユニット13A,13Bが床梁の欠損部分17が対向するようにして配置され、前記床梁が欠損した建物ユニット13Bを含むこれらの一対の建物ユニット13は、当該ユニット式建物11の中央に位置する２個の建物ユニット13であることを特徴とする。
本発明によれば、前記一対の建物ユニット間には、床梁が欠損した部分が設けられているため、この部分に床下収納庫、堀炬燵、バスタブ、等の床下突出物を任意に設けることが可能になる。この結果、ユニット式建物の設計の自由度を高めることができるようになる。
【０００８】
本発明の第３発明に係るユニット式建物11は、第１又は第２発明において、前記床梁として、対向する一対の長辺床梁23Aと、一本の短辺床梁23Bとを含み、欠損している床梁は、前記一本の短辺床梁23Bと対向することになる短辺床梁であることを特徴とする。
前記欠損している床梁は短辺床梁であるため、床梁の欠損部分を有する一対の建物ユニットは、長辺方向に沿って配置されている。
【０００９】
本発明のユニット式建物11は、上記したように、少なくとも縦方向に２個、横方向に３個の合計６個の建物ユニット13を有し、前記床梁の欠損部分17を有する一対の建物ユニット13は、中央に位置する２個の建物ユニット13A,13Bであることを特徴とする。
【００１０】
前記床梁の欠損部分を有する一対の建物ユニットを、少なくとも６個の建物ユニットを有するユニット式建物の中央に配置することにより、耐力上問題のない建物構造となる。
なお、前記とは逆に、縦方向に３個、横方向に２個の合計６個の建物ユニットであってもよい。
【００１１】
本発明の第５発明に係るユニット式建物11は、第１〜第４発明のいずれかにおいて、前記床梁の欠損部分17には、取り外し可能な根太27が設けられていることを特徴とする。
前記床梁の欠損部分には、取り外し可能な根太が設けられているため、この根太を任意に取り外して床下収納庫、堀炬燵、バスタブ、等を直ちに設けることができる。また、この根太は、建物ユニットを持ち上げる際のユニットの保護に役立つ。
【００１２】
本発明の第６発明に係るユニット式建物11は、第１〜第５発明のいずれかにおいて、前記床梁の欠損部分17を有する一対の建物ユニット13A,13Bは、１階部分14に設けられていることを特徴とする。
１階部分にある一対の建物ユニットの床梁の欠損部分に床下収納庫、堀炬燵、バスタブ、等が設けられることになる。
【００１３】
本発明の第７発明に係るユニット式建物11は、第１〜第６発明のいずれかにおいて、前記床梁の欠損部分17を有する一対の建物ユニット13A,13Bは、２階以上の部分に設けられていることを特徴とする。
例えば、２階部分にある一対の建物ユニットの床梁の欠損部分を利用して吹き抜けを設けることが可能になる。この場合、１階部分にある一対の建物ユニットの前記床梁の欠損部分に対応する天井梁には欠損部分を設け、床梁には欠損部分を設けないでおく。
【００１４】
【発明の実施の形態】
図面を参照して本発明の一実施形態に係るユニット式建物を説明する。
図１に示すように、本実施形態のユニット式建物11は、基礎12上に設置された６個の建物ユニット13よりなる１階部分14と、この１階部分14の上に載置された６個の建物ユニット13よりなる２階部分15と、この２階部分15上に設置された屋根16とを備えて構成されている。
【００１５】
図２に示すように、ユニット式建物11の１階部分14は、建物ユニット13が縦方向に２個、横方向に３個配列されている。
そして、中央に位置する２個の建物ユニット13A,13Bが、床梁の欠損部分17を有する一対の建物ユニットであり、この一対の建物ユニット13A,13Bが前記床梁の欠損部分17が対向するようにして配置されている
図３に示すように、前記床梁の欠損部分17を有する建物ユニット13Aのユニットフレーム18は、床フレーム19と、天井フレーム21と、床フレーム19と天井フレーム21との間の四隅にそれぞれ立設された柱22とを有するものである。
【００１６】
前記床フレーム19は、対向する一対の長辺床梁23Aと、一本の短辺床梁23Bの３本の床梁23A,23Bが、四角形状に組まれて構成されている。前記一本の短辺床梁23Bと対向することになる短辺床梁が欠損部分17となる。一方、通常の建物ユニット13の床フレーム19は、対向する一対の長辺床梁23Aと、対向する一対の短辺床梁23Bとが四角形状に組まれて構成されたものである。前記床梁23A,23Bは、いずれも溝形（チャンネル）鋼よりなる。
前記天井フレーム21は、対向する一対の長辺天井梁24Aと、対向する一対の短辺天井梁24Bとが四角形状に組まれて構成されている。
【００１７】
そして、図２に示すように、前記一対の建物ユニット13A,13Bの床梁が欠損した部分17には、両建物ユニット13A,13B間に跨って床下収納庫25が設けられている。
図４に示すように、床下収納庫25が設置される前の前記床梁の欠損部分17においては、柱22間にブラケット26を介して取り外し可能な根太27が設けられている。
【００１８】
なお、隣り合う建物ユニット13A,13Bの根太27間には、耐火材料であるグラスウール36が充填されている。床梁23A,23B及び前記欠損部分17に設けられた根太27上には、床材28が張られている。また、隣合う建物ユニット13A,13B間の根太27上には、ジョイント用床材28Aが張られている。
【００１９】
上記ユニット式建物11は、次のようにして建てることができる。
先ず、工場における建物ユニット13の作製の際、通常の建物ユニット13と共に、前記床梁の欠損部分17を有する一対の建物ユニット13A,13Bを作製する。
現場に、これらの建物ユニット13,13A,13Bを輸送し、図１、２に示すように、基礎12上に縦方向に２個、横方向に３個となるように合計６個の建物ユニット13を配置して１階部分14を造る。床梁の欠損部分17を有する一対の建物ユニット13A,13Bは、中央に位置するように配置する。
【００２０】
そして、床梁の欠損部分17を有する一対の建物ユニット13A,13B間に床下収納庫25を設ける場合には、根太27を外して、床下収納庫25を設ける。
この後、この１階部分14上に、同様に６個の建物ユニット13を載置して２階部分15を造り、この２階部分15上に屋根16を設けて本実施形態のユニット式建物11を建てる。
【００２１】
上記実施形態によれば、前記一対の建物ユニット13A,13B間には、床梁が欠損した部分17が設けられているため、この部分17に床下収納庫25等の床下突出物を任意に設けることができる。この結果、ユニット式建物11の設計の自由度を高めることができるようになる。
前記床梁の欠損部分17を有する一対の建物ユニットは、６個の建物ユニット13を有する１階部分14の中央に配置されているため、ユニット式建物11として耐力上問題のない建物構造となっている。
【００２２】
また、前記床梁の欠損部分17には、予め取り外し可能な根太27が設けられているため、この根太27を任意に取り外して床下収納庫25を直ちに設けることができる。床下収納庫25を設けない場合には、この根太27をそのまま使用して床材28を設けておくことができる。
更に、この根太27は、建物ユニット13A,13Bを持ち上げる際のユニットの保護に役立つ。
【００２３】
なお、上記実施形態のユニット式建物11は、床梁の欠損部分17を有する一対の建物ユニット13A,13Bが床梁の欠損部分17が対向するようにして配置されていたが、図５に示すように、床梁が欠損した建物ユニット13Bを一つだけ含み、この一つの建物ユニット13Bと、床梁23Bの欠損していない建物ユニット13Aとが対向するようにして配置されているユニット式建物11であってもよい。
また、上記ユニット式建物11は、１階部分14に縦方向に２個、横方向に３個の合計６個の建物ユニット13を有していたが、図６に示すように、端部の１個が欠けた合計５個の建物ユニット13を有しているユニット式建物11としてもよい。
【００２４】
上記実施形態のユニット式建物11は、前記床梁の欠損部分17を有する一対の建物ユニット13A,13Bは、１階部分14に設けたが、２階以上の部分に設け、この床梁の欠損部分17を利用して吹き抜けを設けてもよい。この場合、１階部分14にある一対の建物ユニット13A,13Bの２階の欠損部分17に対応する天井梁には、吹き抜けのための欠損部分を設け、床梁には欠損部分を設けないでおく。
また、上記実施形態では、前記一対の建物ユニット13A,13Bの床梁の欠損部分17に、床下突出物としての床下収納庫25を設けたが、その他、堀炬燵、バスタブ、等も設けてもよい。
【００２５】
【発明の効果】
本発明に係るユニット式建物によれば、隣り合う建物ユニット間に床下突出物を設けることができ、これにより設計の自由度を高めることができる。
【図面の簡単な説明】
【図１】本発明の一実施形態に係るユニット式建物の斜視図である。
【図２】同実施形態に係るユニット式建物の１階部分の平面図である。
【図３】同実施形態に係る床梁の欠損部分を有する建物ユニットのユニットフレームの斜視図である。
【図４】同実施形態に係るユニット式建物の要部斜視図である。
【図５】他の実施形態に係るユニット式建物の１階部分の平面図である。
【図６】更に他の実施形態に係るユニット式建物の１階部分の平面図である。
【図７】従来例に係るユニット式建物の要部斜視図である。
【符号の説明】
11  ユニット式建物
13,13A,13B  建物ユニット
17  床梁の欠損部分
23A,23B  床梁
24A,24B  天井梁
25  床下収納庫
【図１】
0003997005.tif 000002
【図２】
0003997005.tif 000003
【図３】
0003997005.tif 000004
【図４】
0003997005.tif 000005
【図５】
0003997005.tif 000006
【図６】
0003997005.tif 000007
【図７】
0003997005.tif 000008